(57)【特許請求の範囲】
【請求項１】
使用者が乗った状態で作業を行うことができる梯子であって、
第１の梯子部材と、
前記第１の梯子部材より長手方向長さが短く、第２の上端部を有する第２の梯子部材と、
前記第２の上端部より上方に位置し、前記使用者の膝を支持するために前記第１の梯子部材に設けられるサポート部材と、
前記第１の梯子部材に設けられ前記使用者の足を乗せるための第１の踏み部材と、
前記第２の梯子部材の前記第２の上端部に設けられ前記使用者の足を乗せるための第２の踏み部材と、
前記第１の梯子部材に入れ子式に装着され、前記第１の梯子部材の長手方向に伸縮自在な把持部と、を備え、
前記第１及び第２の踏み部材上に前記使用者の足が乗せられた状態において、前記使用者の膝が前記サポート部材により支持される位置関係を前記第１及び第２の踏み部材と前記サポート部材とが有し、前記第１及び第２の梯子部材が鉛直方向に延材する仮想中心線に関し左右対称に配置され、
前記第１の梯子部材は、屈曲部により互いに連結される上方梯子部及び下方梯子部を有し、前記第１の梯子部材の長手方向への前記把持部の移動が前記屈曲部により係止されることを特徴とする梯子。
【請求項２】
前記第１及び第２の梯子部材が有する底脚部の少なくとも一に設けられる接地維持手段を備え、前記接地維持手段により、前記第１及び第２の梯子部材の全てが地面に接地可能であることを特徴とする請求項１に記載の梯子。
【請求項３】
前記接地維持手段は、前記底脚部の外側に突出する凸部であることを特徴とする請求項２に記載の梯子。
【請求項４】
前記接地維持手段は、前記凸部を下方に付勢するための付勢手段を有することを特徴とする請求項３に記載の梯子。
【請求項５】
使用状態の前記第１の梯子部材と前記第２の梯子部材とが水平な地面に配置されると、前記付勢手段が鉛直方向に前記凸部を付勢することを特徴とする請求項４に記載の梯子。
【請求項６】
前記底脚部は、スリップ止め部を有し、仮想鉛直線Xに関し、前記凸部が、前記スリップ止め部より、遠い位置に配置されることを特徴とする請求項３に記載の梯子。
【発明の詳細な説明】
【技術分野】
【０００１】
本発明は、集合住宅、戸建て等の建築物の作業を行う際に用いられる作業台付きの梯子に関するものである。
【背景技術】
【０００２】
例えば、特許文献１に開示されるヒンジラダーは、ラダー１と、ヒンジ５を介しラダー１に連結されるスタンド３と、ラダー１とスタンド３とにより支持されるプラットフォーム１０と、ラダー１を構成する一対のサイドレール２の上端部を連結する上方クロス８とを備え、プラットフォーム１０は、第１ヒンジ１２によりラダー１に、そしてタイロッド４０によりスタンド３のクロスバー９に連結され、さらに、タイロッド４０は、第２ヒンジ４１によりプラットフォーム１０に連結され、そして第３のヒンジ４２によりクロスバー９に連結される構成である。
【先行技術文献】
【特許文献】
【０００３】
【特許文献１】欧州特許公報0457703
【発明の概要】
【発明が解決しようとする課題】
【０００４】
特許文献１には、使用者がヒンジラダーに対しどのように乗り、使用者がヒンジラダーをどのように使用するかについて、明示されていない。しかし、ヒンジラダーを構成する部材の寸法関係を考慮すると、使用者は、プラットフォーム１０上に片足を乗せ、腰又は太ももが上方クロス８に当接するような状態で、作業することが推察される。
【０００５】
しかしながら、本構成を有するヒンジラダーは、スタンド３が鉛直方向に延びているため、上方クロス８に使用者が太ももを介し荷重が掛かると、スタンド３側への付勢力が作用し、ヒンジラダーが予期せずに倒れる恐れがある。
【０００６】
本発明は、かかる事情に鑑みてなされたものである。すなわち、本発明は、上記課題を解決するため、使用者等が最上部の踏み部材に乗り、作業を行う場合であっても、倒れることを確実に防止できる梯子を提供することを目的とする。
【課題を解決するための手段】
【０００７】
上述した課題を解決し、目的を達成するために、本発明の梯子の第１の態様は、使用者が乗った状態で作業を行うことができる梯子であって、
第１の梯子部材と、
前記第１の梯子部材より長手方向長さが短く、第２の上端部を有する第２の梯子部材と、
前記第２の上端部より上方に位置し、前記使用者の膝を支持するために前記第１の梯子部材に設けられるサポート部材と、
前記第１の梯子部材に設けられ前記使用者の足を乗せるための第１の踏み部材と、
前記第２の梯子部材の前記第２の上端部に設けられ前記使用者の足を乗せるための第２の踏み部材と、を備え、
前記第１及び第２の踏み部材上に前記使用者の足が乗せられた状態において、前記使用者の膝が前記サポート部材により支持される位置関係を前記第１及び第２の踏み部材と前記サポート部材とが有し、前記第１及び第２の梯子部材が鉛直方向に延材する仮想中心線に関し左右対称に配置される。
【０００８】
また、本発明の梯子の第２の態様によれば、第１の態様の梯子であって、前記第１及び第２の梯子部材が有する底脚部の少なくとも一に設けられる接地維持手段を備え、前記接地維持手段により、前記第１及び第２の梯子部材の全てが地面に接地可能である。
【０００９】
本発明の梯子の第３の態様によれば、第２の態様の梯子であって、前記接地維持手段は、前記底脚部の外側に突出する凸部である。
【００１０】
本発明の梯子の第４の態様によれば、第３の態様の梯子であって、前記接地維持手段は、前記凸部を下方に付勢するための付勢手段を有する。
【００１１】
本発明の梯子の第５の態様によれば、第１乃至第４の態様のいずれかの梯子であって、前記第１の梯子部材の第１の上端部は、その長手方向に伸縮自在な伸縮手段を備える。
【発明の効果】
【００１２】
本発明の梯子によれば、第１及び第２の踏み部材に足が乗ると、サポート部材により膝が支持される構成であるので、使用者が作業する際に、足がサポート部材に支持されるとともに、第１及び第２の梯子部材に対し負荷が均等にかかり、梯子が不意に転倒することが防止できる。
【図面の簡単な説明】
【００１３】
【図１】（ａ）は、本発明の第１の実施例に係る梯子の斜視図であり、（ｂ）は、図１（ａ）に示される梯子の裏面斜視図である。
【図２】（ａ）は、図１（ａ）の線ＩＩＡに沿った断面図であり、（ｂ）は、図１（ｂ）のＩＩＢ矢印図である。
【図３】（ａ）は、図１に示される梯子の側面図であり、（ｂ）は、図１に示される梯子の正面図である。
【図４】（ａ）は、本発明の第２の実施例に係る梯子の凸部及び関連する部材を示す背面図であり、（ｂ）は、図４（ａ）の線ＩＶ−ＩＶに沿った断面図である。
【図５】（ａ）は、第２の実施例に係る梯子がベランダに配置された状態を示す斜視図であり、（ｂ）は、図５（ａ）の一点鎖線Ｖで囲まれる部位の拡大図である。
【発明を実施するための形態】
【００１４】
以下に、本発明の実施例に係る梯子について図面を参照しつつ説明する。尚、図面において同一部分は同一符号で示してある。以下説明する実施例は例示として説明するものであり、本発明を限定するものではないことは言うまでもない。
【００１５】
〔第１の実施例〕
図１（ａ）は、本発明の第１の実施例に係る梯子１の斜視図であり、図１（ｂ）は、図１（ａ）に示される梯子１の裏面斜視図であり、図２（ａ）は、図１（ａ）の線ＩＩＡに沿った断面図であり、図２（ｂ）は、図１（ｂ）のＩＩＢ矢印図であり、図３（ａ）は、図１に示される梯子１の側面図であり、図３（ｂ）は、図１に示される梯子１の正面図である。
【００１６】
本実施例の使用者の足を支持する梯子１は、主として、第１の梯子部材３と、第１の梯子部材３に連結される第２の梯子部材５と、第１の上端部３ａ側に使用者の膝を支持するためのサポート部材１７と、第１の梯子部材３に設けられ使用者の足を支持するための第１の踏み部材３１と、第２の梯子部材５に設けられ使用者の足を支持するための第２の踏み部材５１と、を備える。また、作業台を構成する第１及び第２の踏み部材３１、５１は隣接配置されており、使用者の足が乗った状態において、使用者の膝がサポート部材１７により支持されるように第１及び第２の踏み部材３１、５１とサポート部材１７との位置関係を有する。さらに、図３（ａ）に示されるように、第１及び第２の梯子部材３、５が鉛直方向に延びる仮想中心線Ｘに関し左右対称に配置される。
【００１７】
第１の梯子部材３は、図３（ｂ）に示されるように、正面視において左右対称の形状を呈し、下方梯子部３３と、下方梯子部３３の上端部に連続する上方梯子部３５とを有する。下方梯子部３３は、下方に下がるに従い拡開し、上方梯子部３５は、鉛直方向に延びる。従って、２つの下方梯子部３３を連結する第１のステップ３９は、第１のステップ３９の鉛直方向上方に位置する第２のステップ３７より長手方向寸法が長い。一方、２つの上方梯子部３５を連結する第１の踏み部材３１と、第１の踏み部材３１の上方に位置するサポート部材１７は、長手方向寸法が、第２のステップ３７より若干短く寸法付けられている。
【００１８】
さらに、図２に示されるように、第１の梯子部材３の下端部には、底脚部１１が装着されている。底脚部１１は、図２（ｂ）に示されるように、凸部７とスリップ止め部１３とを備える。接地維持手段である凸部７は、図２（ｂ）の裏面視において円形の半円球形状であり、スリップ止め部１３から鉛直方向に関する長さｔだけ突出した状態で、スリップ止め部１３に装着されている。スリップ止め部１３は、複数の凹部を有し、廊下、ベランダ等の床面上における予期せぬ滑りを防止できる構成である。
【００１９】
凸部７は、半円球状部７ａと半円球状部７ａに連続する円筒基部７ｂと有し、円筒基部７ｂがスリップ止め部１３の内部と第１の梯子部材３の下端部とにより保持されている。凸部７は、低硬度のシリコーンゴムから構成されている。凸部７は、梯子１が地面に載置された場合には、半円球状部７ａが梯子１の自重により若干屈曲する（撓む）程度の強度を有することが望ましい。
【００２０】
図２（ａ）に示されるように、半円球状部７ａは、スリップ止め部１３より外方に配置され（図３（ａ）において、仮想中心線Ｘからスリップ止め部１３より遠い位置）である。また、第１及び第２の梯子部材３、５が開かれた使用状態において、半円球状部７ａの仮想中心線Ｃが、鉛直方向に延びる仮想鉛直線Ｑに対し傾斜するように延材する。なお、第１及び第２の梯子部材３、５が閉じた休止状態では、半円球状部７ａの仮想中心線Ｃが、鉛直方向に延びる仮想鉛直線Ｑに整合する。
【００２１】
上記構成の凸部７は、第１の梯子部材３が床面に載置されると、最初に凸部７が床面に接し、梯子１の自重により凸部７が撓む。さらに、第１の梯子部材３の第１及び第２のステップ３９、３７に使用者が乗ると、凸部７が潰れ、スリップ止め部１３が地面に接することになる。
【００２２】
さらに、第１の梯子部材３の上方梯子部３５の上端部３ａ（図１（ａ）参照。）には、把持部９が設けられている。把持部９は、上方梯子部３５の内部空間に入れ子式に装着され、把持部９が上方梯子部３５に対し摺動可能である。また、把持部９は、長手方向に所定間隔の固定用穴が設けられており、上方梯子部３５に装着されている固定用突起部が、当該固定用穴に挿入されることにより把持部９が所定の位置において固定される。なお、図１（ａ）は、把持部９が突出した状態を示し、図１（ｂ）は、把持部９が上方梯子部３５の内部に収容された状態を示す。
【００２３】
また、図３（ｂ）に示されるように、把持部９及び上方梯子部３５が鉛直方向に延びる仮想鉛直線Ｙに沿って延材し、下方梯子部３３が、仮想鉛直線Ｙから離れる方向に延材している。本構成により、把持部９の、上方梯子部３５の上端部３ａからの突出長さが最も短い状態では、把持部９の下端部が下方梯子部３３に内面に当接することで係止される。なお、上記説明において、第１の梯子部材３は、図３（ａ）に示されるように、仮想鉛直線Ｙに対し左右対称の構成を呈する。
【００２４】
次に、第２の梯子部材５について説明する。なお、第２の梯子部材５の構成が、第１の梯子部材３の構成と同じ場合には、説明を割愛する。第２の梯子部材５は、下方梯子部５３と、下方梯子部５３に連結される上方梯子部５５と、図１（ａ）において、左右の下方梯子部５３を連結する下方ステップ５７と、左右の下方梯子部５３を連結し、作業者の足を支持するための第２の踏み部材５１と、を備える。第２の踏み部材５１は、第１の踏み部材３１と同じ構成であり、第１及び第２の踏み部材３１、５１は、図３（ａ）の仮想中心線Ｘに関し左右対称に配置される。さらに、図３（ｂ）に示されるように、第２の梯子部材５は、鉛直方向に延びる仮想中心線Ｘに関し、第１の梯子部材３に対し線対称の構造である。第１及び第２の梯子部材３、５は、仮想中心線Ｘに対し、同角度で傾斜する。
【００２５】
また、第２の梯子部材５の下方梯子部５３の下端部には、第１の梯子部材３の下方梯子部３３の下端部と同様に、底脚部１１が装着され、底脚部１１は、図２（ｂ）に示されるように、凸部７とスリップ止め部１３とを備える。従って、本実施形態では、第１及び第２の梯子部材３、５が、凸部７を備える構成であり、仮に、梯子１が載置される床（又は地面、以下床と称す。）に多少の凹凸がある場合であっても、凸部７が撓むことにより、４つの第１及び第２の梯子部材３、５が床に接地される。
【００２６】
なお、図１（ａ）中の符号４１は、収納レバーである。使用者が、収納レバー４１を持ち上げられると、線状に固定されたヒンジ部材１５が、その中央部で上方に屈曲し、第１及び第２の梯子部材３、５が閉じられる。
【００２７】
〔第２の実施例〕
第２の実施例に係る凸部１０７について図４を参照しつつ説明する。図４（ａ）は、凸部１０７及び関連する部材を示す背面図であり、図４（ｂ）は、図４（ａ）の線ＩＶ−ＩＶに沿った断面図である。
【００２８】
半円球状の凸部１０７は、第１の実施例と異なり、付勢手段であるコイルスプリング１５１により付勢されている構成である。さらに、凸部１０７の中心を通る仮想中心線Ｃは、鉛直方向に延び、コイルスプリング１５１により、図４（ｂ）の下方に付勢されることにより、梯子１が床又は地面に載置されていない状態では、凸部１０７がスリップ止め部１１３より突出する。凸部１０７の材料は、第１の実施例と異なり、高硬度のシリコーンゴムから構成され、凸部１０７は、梯子１の自重によっては撓まない強度を有する。
【００２９】
また、凸部１０７は、床等に設置される状態において、第１の実施例と同様に、底脚部１１１の底面の外方に位置する。さらに、本実施例では、凸部１０７がコイルスプリング１５１により付勢される構成で、コイルスプリング１５１がスリップ止め部１１３に係止され、スリップ止め部１１３が、ねじ１５３により底脚部１１１に固定される。
【００３０】
本実施例では、梯子１が使用される状態では、凸部１０７の仮想中心線Ｃが、鉛直方向に延材し、また、コイルスプリング１５１が伸縮する伸縮中心線が仮想中心線Ｃに整合する。また、図４では、一つの底脚部１１１のみが示されているが、第１の実施例と同様に、第２の実施例においても梯子１が備える４つの底脚部１１１に凸部１０７が装着されている。さらに、床や地面に存在する凹凸に応じて、第１及び第２の梯子部材３、５の一方に凸部１０７を備え、第１及び第２の梯子部材３の他方に第１の凸部７を設ける構成や、第１及び第２の梯子部材３、５から底脚部１１１を選択し、凸部７、１０７を選択的に装着する構成とすることも可能である。
【００３１】
図５（ａ）（ｂ）は、使用状況を説明するための図である。梯子１が、マンション等の建築物の、溝を有する床上に、例えば、建築物の外壁の周囲に設置される足場から、使用者により配置された状態である。床面Ｓ１の縁部には、水はけ用の溝が設けられている。溝は、水平方向に対して右方向に傾斜する溝底面Ｓ２と、溝底面Ｓ２から鉛直方向に延びる溝壁面Ｓ３とを有する。床面Ｓ１は、ほぼ水平に延材する。第１の梯子部材３の２つの底脚部１１１が、床面Ｓ１上に載置され、第２の梯子部材５の２つの底脚部１１１が、溝底面Ｓ２上に載置される。
【００３２】
梯子１が図５（ｂ）に示されるように溝底面Ｓ２上に載置された場合、右側に位置する凸部１０７ｂに掛かる負荷に比較し、左側に位置する凸部１０７ａに掛かる負荷が大きいため、凸部１０７ａを支持するコイルスプリング１５１が相対的に収縮し、右側の底脚部１１１が浮いた状態、すなわち右側の凸部１０７ｂが相対的に突出した状態で接地されることになる。従って、梯子１によれば、接地面が水平でない場合であっても、第１及び第２の梯子部材３、５のすべてが接地する接地状態を実現できる。このように、本実施例の接地維持手段は、凸部１０７と、付勢手段であるコイルスプリング１５１とから構成される。
【００３３】
作業者が足場から、接地状態にある梯子１へ乗り移ろうとする際、作業者は、把持部９に手で触り、梯子１にガタツキがないことを確認できる。よって、作業者は、足場から梯子１に、安心して乗り移ることができる。また、足場から梯子１に乗り移る場合には、第１の梯子部材３の上端部３ａに装着されている一方の把持部９を伸ばし、他方の把持部９を縮めた状態にすることにより、作業者は、伸びた把持部９を掴みつつ、足を第２の踏み部材５１に移動することを容易に実行できる。なお、上記使用状況では、第２の実施例の梯子１を用いて説明したが、第１の実施例の梯子１でも同様の効果が得られることは言うまでもない。また、図面の明瞭化のため図５には、溝底面Ｓ２に連続し、溝底面Ｓ２の鉛直方向上方に延びる床縁面Ｓ４の部位が示されていないが、床縁面Ｓ４の近傍に載置される凸部１０７ａ、１０７ｂが、溝底面Ｓ２から滑り落ちるような床縁面Ｓ４の構成を意図するものではない。
【００３４】
第１及び第２の実施例は、第１及び第２の梯子部材３、５をそれぞれ２つの構成であるが、第１及び第２の梯子部材３、５の数は、３つ以上に適宜変更できる。また、梯子部材３，５は、断面視で四角形状であるが、円形状、楕円形状、多角形状に適宜変更できることは言うまでもない。
【００３５】
以上、本発明の実施例について説明したが、本発明はこれらの実施例に限定されず、その要旨の範囲内で種々の変形及び変更が可能である。
【符号の説明】
【００３６】
１  梯子
３，１０３  第１の梯子部材
３ａ，５ａ  上端部
５，１０５  第２の梯子部材
７，１０７，１０７ａ，１０７ｂ  凸部
７ａ  半円球状部
７ｂ  円筒基部
９    把持部
１１，１１１  底脚部
１３，１１３  スリップ止め部
１７  サポート部材
３１  第１の踏み部材
３３，５３  下方梯子部
３５，５５  上方梯子部
３７  第２のステップ
３９  第１のステップ
５１  第２の踏み部材
５７  下方ステップ
１５１  コイルスプリング
Ｓ，Ｓ１  床面
Ｓ２  溝底面
Ｓ３  溝壁面
Ｓ４  床縁面
Ｘ，  仮想中心線
Ｙ，Ｑ  仮想鉛直線
【要約】
【課題】使用者等が梯子の最上部の踏み部材に乗り、作業を行う場合であっても、倒れることを確実に防止できる梯子を提供する。
【解決手段】使用者が乗った状態で作業を行うことができる梯子１であって、第１の梯子部材３と、第１の梯子部材３より長手方向長さが短く、第２の上端部５ａを有する第２の梯子部材５と、第２の上端部５ａより上方に位置し、使用者の膝を支持するために第１の梯子部材３に設けられるサポート部材１７と、第１の梯子部材３に設けられ使用者の足を乗せるための第１の踏み部材３１と、第２の梯子部材５の第２の上端部５ａに設けられ使用者の足を乗せるための第２の踏み部材５１と、を備え、第１及び第２の踏み部材３１、５１上に使用者の足が乗せられた状態において、使用者の膝がサポート部材１７により支持される位置関係を第１及び第２の踏み部材３１、５１とサポート部材１７とが有し、第１及び第２の梯子部材３、５が鉛直方向に延材する仮想中心線Ｘに関し左右対称に配置される。
【選択図】図１【図１】
0006831608.tif 000002
【図２】
0006831608.tif 000003
【図３】
0006831608.tif 000004
【図４】
0006831608.tif 000005
【図５】
0006831608.tif 000006